(57)【要約】【課題】発光素子の発熱を抑制することができるとともに、発光素子からの光が開口部を通して透明部材に照射されるのを防止することができる光照射装置を提供すること。【解決手段】光照射装置３０は、ＬＥＤ４４と、ＬＥＤ基板４５と、導光板４６と、ブラケット４８と、カバー４９とを備えている。カバー４９の斜面部４９ｃには、ＬＥＤ４４の直上にあたる箇所に開口部５０と、開口部５０から離隔し、かつ開口部５０を覆うように遮蔽部４９ｄが設けられている。カバー４９の垂直部４９ｂには、開口部５１が設けられている。【選択図】図４
2014014002.tif 000002
【特許請求の範囲】
【請求項１】
複数の発光素子が主走査方向に直線状に配列された基板と、前記発光素子の発光面に対向し、前記発光素子から射出される光を被照射体の照射領域に導光する導光部材と、前記基板および前記導光部材を保持する保持部材と、前記基板および前記導光部材を覆う被覆部材とを備えた光照射装置であって、
前記発光素子の近傍の前記被覆部材の部位に形成された第１の開口部と、
前記発光素子から離隔した前記被覆部材の部位に形成された第２の開口部と、
前記被覆部材に形成され、前記第１の開口部および前記第２の開口部の少なくとも一方と離隔するとともに前記第１の開口部および前記第２の開口部の少なくとも一方を遮蔽する遮蔽部材とを含んで構成されることを特徴とする光照射装置。
【請求項２】
複数の発光素子が主走査方向に直線状に配列された基板と、前記発光素子の発光面に対向し、前記発光素子から射出される光を被照射体の照射領域に導光する導光部材と、前記基板および前記導光部材を保持する保持部材と、前記基板および前記導光部材を覆う被覆部材とを備えた光照射装置であって、
前記発光素子の近傍の前記保持部材の部位に形成された第１の開口部と、
前記発光素子から離隔した前記保持部材と前記被覆部材との部位に形成された第２の開口部と、
前記被覆部材または前記保持部材の少なくとも一方に形成され、前記第１の開口部および前記第２の開口部の少なくとも一方と離隔するとともに第１の開口部および前記第２の開口部の少なくとも一方を遮蔽する遮蔽部材とを含んで構成されることを特徴とする光照射装置。
【請求項３】
請求項１または請求項２に記載の光照射装置を備えた画像読取装置であって、
画像読取装置本体と、前記画像読取装置に設けられ、照射領域を有する透明部材と、前記光照射装置によって前記透明部材上の被照射体に光を照射し、前記被照射体からの反射光の光量を画像信号に変換することによって前記被照射体の画像を読取る読取手段とを有し、
前記光照射装置は、前記透明部材側から見て前記第１の開口部または第２の開口部の少なくとも一方が前記遮蔽部材によって遮蔽されるように前記画像読取装置本体に取付けられることを特徴とする画像読取装置。
【請求項４】
前記遮蔽部材は、前記第１の開口部を遮蔽する第１の遮蔽部材と前記第２の開口部を遮蔽する第２の遮蔽部材とを備え、
前記光照射装置は、前記透明部材側から見て前記第１の開口部および前記第２の開口部の一方が前記第１の遮蔽部材および前記第２の遮蔽部材の一方によって遮蔽され、かつ前記被照射体から反射された反射光に対して前記第１の開口部および前記第２の開口部の他方が前記第１の遮蔽部材および第２の遮蔽部材の他方によって遮蔽されるように前記画像読取装置本体に取付けられることを特徴とする請求項３に記載の画像読取装置。
【請求項５】
前記光照射装置を１つ有することを特徴とする請求項２〜請求項４のいずれか１項に記載の画像読取装置。
【請求項６】
前記光照射装置が副走査方向に離隔して２つ設けられることを特徴とする請求項２〜請求項４のいずれか１項に記載の画像読取装置。
【請求項７】
前記光照射装置を副走査方向に移動自在に設けることにより、固定された前記被照射体に前記光照射装置から照射を行い、
前記読取手段が、前記被照射体からの反射光の光量を画像信号に変換することによって前記被照射体の画像を読取ることを特徴とする請求項３〜請求項６のいずれか１項に記載の画像読取装置。
【請求項８】
前記光照射装置を副走査方向に停止させることにより、副走査方向に移動する前記被照射体に前記光照射装置から照射を行い、
前記読取手段が、前記被照射体からの反射光の光量を画像信号に変換することによって前記被照射体の画像を読取ることを特徴とする請求項３〜請求項６のいずれか１項に記載の画像読取装置。
【請求項９】
請求項３〜請求項８のいずれか１項に記載の画像読取装置を備えた画像形成装置であって、
前記画像読取装置によって読取られた前記被照射体の画像を記録媒体に形成する画像形成手段を有することを特徴とする画像形成装置。
【発明の詳細な説明】
【技術分野】
【０００１】
本発明は、光照射装置、画像読取装置および画像形成装置に関し、例えば、原稿等の被照射体を読取るために被照射体に光を照射する発光素子を備えたスキャナ装置等の画像読取装置、およびこの画像読取装置を備えたファクシミリ装置、複写機、複合機等の画像形成装置に関する。
【背景技術】
【０００２】
一般に、ファクシミリ装置、複写機、複合機等に設けられたスキャナ装置等の画像読取装置にあっては、光源から原稿に光を照射し、原稿から反射光を複数のミラーで折り返してＣＣＤイメージセンサ等の撮像素子に入射するようにしている。
【０００３】
このような画像読取装置にあっては、光源の立ち上がりのスピード、省エネルギー化、長寿命化等の要望がある。このため、近年は、キセノンランプに変えて発光ダイオード（以下、単にＬＥＤという。）等の発光素子を用いた光源を採用する傾向になっている。
【０００４】
縮小光学系を採用した画像読取装置にあっては、原稿面から撮像素子までの距離が長いため、原稿面から撮像素子までの間で光源からの照射光の減衰が大きくなる。したがって、ＬＥＤを採用した画像読取装置においては、ＬＥＤの照度を高くする必要がある。このため、原稿の主走査方向にＬＥＤを複数個設置し、原稿面での照度を高くするようにしている。
【０００５】
例えば、特許文献１には、複数のＬＥＤが主走査方向にアレイ状に配列され、ＬＥＤアレイから射出される光を原稿面へ導く導光部材が設けられ、原稿面に均一にかつ高い照度で照射する技術が開示されている。この技術によって、導光部材の全反射を利用して光を照射領域に効率よく照射することができる。
【０００６】
このようなＬＥＤを用いた画像読取装置において、画像読取速度を向上させるためには、ＬＥＤの個数またはＬＥＤに流す電流値を増加させ、ＬＥＤアレイを明るくする必要がある。
【発明の概要】
【発明が解決しようとする課題】
【０００７】
しかしながら、このような従来のＬＥＤを用いた画像読取装置にあっては、ＬＥＤがブラケットおよびカバーによって走査方向に対して密閉されている構成である。このため、上述の画像読取速度向上のための対策をとると、ＬＥＤの発熱が発散されずＬＥＤ周辺の温度が上昇することで、ＬＥＤの発光効率の低下、寿命の低下および導光部材の熱膨張を引き起こすという課題があった。
【０００８】
ＬＥＤの発熱を発散させる方策として、例えば、ＬＥＤアレイとブラケットとの間、およびＬＥＤアレイとカバーとの間に空間を設けて、ＬＥＤアレイに風を通す構成が考えられる。
【０００９】
しかしながら、この構成では、ＬＥＤから照射される光が、ＬＥＤアレイとカバーの間に設けられた空間を通じて、原稿面および読取光軸にも照射されてしまうため、画像読取精度に課題が残るものであった。
【００１０】
本発明は、このような課題を解決するためになされたもので、発光素子の発熱を抑制することができるとともに、発光素子からの光が開口部を通して透明部材に照射されるのを防止することができる光照射装置を提供することを目的とする。
【課題を解決するための手段】
【００１１】
本発明の光照射装置は、上記目的を達成するために、複数の発光素子が主走査方向に直線状に配列された基板と、前記発光素子の発光面に対向し、前記発光素子から射出される光を被照射体の照射領域に導光する導光部材と、前記基板および前記導光部材を保持する保持部材と、前記基板および前記導光部材を覆う被覆部材とを備えた光照射装置であって、前記発光部材の近傍の前記被覆部材の部位に形成された第１の開口部と、前記発光部材から離隔した前記被覆部材の部位に形成された第２の開口部と、前記被覆部材に形成され、前記第１の開口部および前記第２の開口部の少なくとも一方と離隔するとともに前記第１の開口部および前記第２の開口部の少なくとも一方を遮蔽する遮蔽部材とを含んで構成されることを特徴とする。
【発明の効果】
【００１２】
本発明によれば、発光素子の発熱を抑制することができるとともに、発光素子からの光が開口部を通して透明部材に照射されるのを防止することができる光照射装置を提供することができる。
【図面の簡単な説明】
【００１３】
【図１】本発明の第１の実施形態に係る複写機の概略を示す断面図である。
【図２】本発明の第１の実施形態に係る画像読取部の各部品の位置関係を示す側面図である。
【図３】（ａ）は、本発明の第１の実施形態に係る画像読取部の概略正面図、（ｂ）は、画像読取部の概略斜視図である。
【図４】本発明の第１の実施形態に係る光照射装置の正面図である。
【図５】本発明の第１の実施形態に係る光照射装置の斜視図である。
【図６】本発明の第２の実施形態に係る光照射装置の斜視図である。
【図７】図６で示した本発明の第２の実施形態に係る光照射装置の拡大斜視図である。
【図８】本発明の第２の実施形態に係る光照射装置の正面図である。
【図９】本発明の第２の実施形態に係る光照射装置において、導光部材を固定する被覆部材の正面図である。
【図１０】本発明の第２の実施形態に係る光照射装置の被覆部材の斜視図である。
【図１１】本発明の第２の実施形態に係る光照射装置の他の構成を示す正面図である。
【発明を実施するための形態】
【００１４】
以下、本発明の実施の形態について、図面を参照して説明する。
（第１の実施の形態）
図１〜図５は本発明に係る光照射装置、画像読取装置および画像形成装置の第１の実施の形態を示す図であり、本発明を複写機に適用した場合を示している。
【００１５】
図１は、複写機の構成を示す図である。図１において、複写機１０は、自動原稿搬送装置１１と、給紙部１２と、画像読取装置としての画像読取部１３と、画像形成手段としての画像形成部１４とを備えている。
【００１６】
自動原稿搬送装置１１は、原稿トレイ１６に設置された被照射体としての原稿６１を給紙ローラや分離ローラ等の各種ローラからなる分離給紙手段１７によって透明部材としてのコンタクトガラス１５に搬送する。
【００１７】
自動原稿搬送装置１１は、コンタクトガラス１５上に搬送された原稿６１をコンタクトガラス１５から搬出した後、各種排紙ローラからなる排紙手段１９によって排紙トレイ２０に排紙する。
【００１８】
また、原稿６１の両面を読取る場合には、自動原稿搬送装置１１は、排紙手段１９に設けられた分岐機構および搬送ベルト１８によって原稿６１をコンタクトガラス１５上に返送して未読取面の読取りを行うようになっている。
【００１９】
給紙部１２は、異なるサイズの記録媒体としての記録紙を収納する給紙カセット２１ａ、２１ｂと、給紙カセット２１ａ、２１ｂに収納された記録紙を転写位置まで搬送する各種ローラからなる給紙手段２２とを備えている。
【００２０】
また、画像読取部１３は、詳しくは後述するが、第１キャリッジ３５および第２キャリッジ３６を図１中、左右方向（副走査方向）に駆動し、光源から原稿面に光を照射することで原稿面を読取る。
【００２１】
画像読取部１３は、原稿面に照射し反射された光をミラーで反射した後、ミラーで反射した光をレンズユニット３７によって読取信号としてＣＣＤ等の撮像素子４３に取り込むようになっている。
【００２２】
画像形成部１４は、レンズユニット３７に取り込まれた読取信号に基づいて書込信号を形成する露光装置２３と、露光装置２３によって生成された書き込み信号が表面に形成される複数の感光体ドラム２４とを備えている。
【００２３】
画像形成部１４は、シアン、マゼンタ、イエロー、ブラックとそれぞれ異なる色のトナーが充填され、感光体ドラム２４に異なる色のトナーを供給して書き込み信号を可視像化させる現像装置２５を備えている。
【００２４】
また、画像形成部１４は、感光体ドラム２４上に形成された可視像が重ねられて転写されることによりカラー画像を形成し、このカラー画像を給紙部１２から給紙された記録紙に転写する転写ベルト２６を備えている。さらに、画像形成部１４は、記録紙に定着されたカラー画像を記録紙に定着する定着装置２７を備えている。
【００２５】
図２、図３は画像読取部１３の構成を示す図である。図２は、画像読取部１３の各部品の位置関係を示す側面図である。また、図３は、第２キャリッジ３６の駆動用の駆動ワイヤ３３と各プーリの関係を説明するための模式図であり、図３（ａ）は側面図、図３（ｂ）は駆動ワイヤ３３の連結状態を上から見た状態を示す図である。
【００２６】
図２、図３において、画像読取部１３は、本体フレーム３１と、駆動軸３２と、駆動ワイヤ３３と、ワイヤ駆動プーリ３４と、第１キャリッジ３５と、第２キャリッジ３６と、レンズユニット３７とを備えている。また、画像読取部１３は、張力スプリング３９と、キャリッジプーリ４０と、アイドラプーリ４１、４２とを備えている。
【００２７】
本体フレーム３１の内部には、図示しない第１レールと第２レールが設けられている。第１レールには、走行体としての第１キャリッジ３５が接触し自在に移動できるよう取付けられているとともに、第２レールには、第２キャリッジ３６が接触し自在に移動できるよう取付けられている。
【００２８】
駆動軸３２は、図示しないモータに連結されており、駆動軸３２の両端部にはワイヤ駆動プーリ３４が取付けられている。ワイヤ駆動プーリ３４には駆動ワイヤ３３が巻き付けられており、駆動ワイヤ３３は、図３中、左右方向に延びて存在している。
【００２９】
駆動ワイヤ３３には、第１キャリッジ３５の駆動用と第２キャリッジ３６の駆動用の２本が用いられる。ここで、図３では第２キャリッジ３６の駆動用の駆動ワイヤ３３のみを図示している。
【００３０】
また、駆動ワイヤ３３およびアイドラプーリ４１、４２は、本体フレーム３１の前後に１本ずつ設けられているが、いずれも同じ構成および機能を有する。したがって、片側の駆動ワイヤ３３、アイドラプーリ４１、４２のみについて説明する。すなわち、本実施の形態に係る画像読取部１３には、駆動ワイヤ３３が２本、アイドラプーリ４１、４２が本体フレーム３１の四隅に４個設けられている。
【００３１】
また、第２キャリッジ３６にはキャリッジプーリ４０が設けられており、駆動ワイヤ３３は、キャリッジプーリ４０やアイドラプーリ４１、４２を経由するようになっている。
【００３２】
図２、図３に示すように、第１キャリッジ３５は、ワイヤ駆動プーリ３４と第２キャリッジ３６の間に配置されている。そして、第１キャリッジ３５が駆動ワイヤ３３に引かれて所定の速度Ｖで走行すると、第１キャリッジ３５に搭載されている光照射装置３０は、コンタクトガラス１５に載せられた原稿６１を照射する。
【００３３】
光照射装置３０から原稿６１に照射したときに、原稿面で反射された光は、第１ミラー５５ａによって第２キャリッジ３６に向けて反射されるようになっている。
【００３４】
第１ミラー５５ａで反射された光は、第２キャリッジ３６に搭載された第２ミラー５５ｂおよび第３ミラー５５ｃによってさらに反射された後、レンズユニット３７に入射する。
【００３５】
そして、レンズユニット３７に入射した光は、レンズユニット３７に含まれる結像レンズによって焦点面に設置されたＣＣＤ等の撮像素子４３に集光され、画像として取り込まれる。このように、撮像素子４３は、ＬＥＤ４４に沿った原稿上のラインを主走査する。
【００３６】
また、第２キャリッジ３６は、第２ミラー５５ｂおよび第３ミラー５５ｃによる光の反射に伴う光の通る経路（光路）の重複分を相殺する必要がある。したがって、第２キャリッジ３６は、第１キャリッジ３５の半分の速度、すなわちＶ／２の速度で第１キャリッジ３５と同方向に走行するようになっている。
このため、第２キャリッジ３６は、第１キャリッジ３５の走行距離Ｌの半分の走行距離（Ｌ／２）を走行するようになっている。
【００３７】
第１キャリッジ３５と第２キャリッジ３６の走行速度の関係により、第１キャリッジ３５および第２キャリッジ３６の走行があっても、原稿面からレンズユニット３７までの光路の長さは、変化しないようになっている。
【００３８】
駆動ワイヤ３３は、ワイヤ駆動プーリ３４に巻き付けられて左方向に延びる系統および右方向に延びる系統を有する。駆動ワイヤ３３の左方向に延びる系統は、軸が本体フレーム３１に固定されたアイドラプーリ４１によって折り返されるようになっている。
【００３９】
そして、折り返された駆動ワイヤ３３の左方向に延びる系統は、外側キャリッジプーリ４０ｂに至り、再びここで折り返されて端部がアイドラプーリ４１に固定されるようになっている。
【００４０】
また、駆動ワイヤ３３の右方向に延びる系統は、本体フレーム３１に固定されたアイドラプーリ４２によって折り返されるようになっている。そして、折り返された駆動ワイヤ３３の右方向に延びる系統は、内側キャリッジプーリ４０ａに至り、再びここで折り返され、ばね部材として張力スプリング３９を介してアイドラプーリ４２に固定されるようになっている。
【００４１】
また、図２中、左側には図示しないホームポジションセンサが設けられている。これにより、第１キャリッジ３５が図２中、左側に走行してホームポジションセンサを通過し、駆動軸３２を駆動するモータが所定パルスだけ駆動されると、図示しないモータ制御手段は、モータを停止させるようになっている。
【００４２】
モータが停止することにより、駆動軸３２を介してモータと繋がっているワイヤ駆動プーリ３４が停止し、第１キャリッジ３５は、停止する。この第１キャリッジ３５の停止した場所がホームポジション位置となる。
【００４３】
原稿の読取りが終了した場合に、第１キャリッジ３５がホームポジション位置に走行することで、次回の第１キャリッジ３５の走行は、ホームポジション位置から開始されることになる。
【００４４】
また、光照射装置３０が原稿６１に光を照射してコンタクトガラス１５上に載置された原稿６１を走査する場合には、第１キャリッジ３５および第２キャリッジ３６が図１中、左右方向に移動して光照射装置３０がコンタクトガラス１５上の原稿６１に光を照射する。
【００４５】
また、光照射装置３０が自動原稿搬送装置１１によって搬送される原稿６１に光を照射して原稿６１を走査する場合には、第１キャリッジ３５および第２キャリッジ３６が図１中、左方向に停止して光照射装置３０がコンタクトガラス１５上の一定の幅の照射領域６０に光を照射する。
【００４６】
そして、第１キャリッジ３５および第２キャリッジ３６は、ホームポジション位置に復帰する場合に、図１中、左側のリターン方向に走行する。第１キャリッジ３５および第２キャリッジ３６がリターン方向に走行する場合には、原稿の読取速度の影響を受けないので、原稿の生産性を上げるために、第１キャリッジ３５および第２キャリッジ３６は、高速度で走行する。
なお、本実施の形態の複写機１は、第１ミラー５５ａ、第２ミラー５５ｂ、第３ミラー５５ｃ、レンズユニット３７および撮像素子４３が読取手段を構成している。
【００４７】
図４、図５は、本実施の光照射装置３０の構成を示す図である。光照射装置３０は、発光素子としてのＬＥＤ４４と、基板としてのＬＥＤ基板４５と、導光部材としての導光板４６と、保持部材としてのブラケット４８と、被覆部材としてのカバー４９とを備えている。
【００４８】
図４、図５に示すように、第１キャリッジ３５は、光照射装置３０と、平板状に形成されたベース５２と、ベース５２に垂下された一対の側板５２ｂとを備えている。
【００４９】
また、第１キャリッジ３５は、光照射装置３０から照射された光をコンタクトガラス１５に導くリフレクタ５６を備えており、一対の側板５２ｂの間には、第１ミラー５５ａが取付けられている。図４では、紙面方向（主走査方向）に離隔して一対設けられた側板のうち、一方の側板５２ｂのみを示している。
【００５０】
ベース５２には、ブラケット４８が図示しないネジによって取付けられている。ブラケット４８は、ベース５２に対する取付面を有する取付部と、ベース５２と所定の角度をなすように折り曲げられた斜面部とを有し、ブラケット４８の斜面部は、副走査方向に上段の段部４８ａと下段の段部４８ｂとを有している。
【００５１】
上段の段部４８ａと接する導光板４６の下面と、下段の段部４８ｂと接するＬＥＤ基板４５の上面が同一平面となるように設けられている。また、上段の段部４８ａと下段の段部４８ｂとは略平行となっている。
【００５２】
ブラケット４８の上段の段部４８ａには、導光板４６が位置決めされている。この場合、導光板４６と一体に成形された３つの位置決めピン４７は、ブラケット４８の表裏を貫通する３つのピン穴に挿入されている。３つの位置決めピン４７は、導光板４６の下面の主走査方向の中央および両端に形成されている。
【００５３】
ブラケット４８の下段の段部４８ｂには、ＬＥＤ基板４５がネジ５４によって取付けられている。ネジ５４は、カバー４９の基端部４９ａ側（図中、右側）に偏って配置され、ＬＥＤ基板４５の主走査方向の両端を固定している。
【００５４】
導光板４６は、アクリル等の透過率の高い樹脂等によって、主走査方向に扁平な略直方体から構成されている。また、導光板４６は、カバー４９の斜面部４９ｃの下面と、ブラケット４８の上段の段部４８ａの上面およびＬＥＤ基板４５とによって、上下面を挟み付けられるようになっている。
【００５５】
ここで、カバー４９の斜面部４９ｃの下面、ブラケット４８の上段の段部４８ａの上面、およびＬＥＤ基板４５の上面は、導光板４６の全反射を阻害しない程度に荒く加工されている。すなわち、導光板４６と他の部材の間に隙間を設けることにより、導光板４６の導光する光が導光板４６と接する他の部材に吸収されないようにしている。
【００５６】
ＬＥＤ基板４５には、サイドビュータイプのＬＥＤ４４が主走査方向に沿って複数個取付けられている。ＬＥＤ基板４５の駆動によって、ＬＥＤ４４は、ＬＥＤ４４の照射面（図４中、左端面）４４ａから導光板４６の入射面（図４中、右端面）４６ａに向けて光を照射する。
【００５７】
そして、導光板４６は、導光板４６内の全反射を利用して、入射面４６ａより入射した光を、導光板４６の照射面（図４中、左端面）４６ｂからリフレクタ５６およびコンタクトガラス１５に向けて均一に照射する。
【００５８】
この場合、位置決めピン４７は、ＬＥＤ４４と対向しないようにＬＥＤ４４同士の間に配置されている。これは、導光板４６に入射した光が、位置決めピン４７に吸収されるのを避けるためである。
【００５９】
ＬＥＤ４４の照射面４４ａの上下方向の幅は、導光板４６の入射面４６ａよりも小さい幅に形成されている。また、ＬＥＤ４４と導光板４６とは、副走査方向において所定の間隙を持って配置されている。但し、導光板４６による全反射を利用するため、導光板４６の入射面４６ａおよび照射面４６ｂ以外の側面の近傍にＬＥＤ４４を配置するようにしている。
【００６０】
また、ベース５２には、カバー４９が複数のネジ５３によって取付けられている。これは、ＬＥＤ基板４５の発した熱によりカバー４９が両端部以外で浮き上がるのを押えるためである。
【００６１】
ＬＥＤ４４の照射光は、導光板４６の入射面４６ａから入射し、導光板４６の上下面、側面で全反射しながら導光板４６内を進み、導光板４６の照射面４６ｂからリフレクタ５６およびコンタクトガラス１５に向けて射出される。
【００６２】
リフレクタ５６は、カバー４９とブラケット４８およびＬＥＤ基板４５とに挟み付けられた導光板４６の照射面４６ｂと対向するようになっている。リフレクタ５６の上部には、導光板４６から照射された光をコンタクトガラス１５に導くことができるように、副走査方向、すなわち、第１キャリッジ３５の走行方向リターン側に折り曲げられた折り曲げ部が形成されている。
【００６３】
リフレクタ５６は、導光板４６からの照射光を折り曲げ部で反射する。この反射により、例えば、切り貼り原稿を読取った場合に、光照射装置３０は、原稿の凹凸によって発生する影をなくすることができる。
【００６４】
カバー４９は、ＬＥＤ基板４５およびブラケット４８を覆う構造となっており、ベース５２に対する取付用のネジ締結用穴が穿たれている基端部４９ａと、ベース５２に対して垂直をなす垂直部４９ｂとを備えている。
【００６５】
また、カバー４９は、垂直部４９ｂに連続するとともに、ベース５２と所定の角度をなす斜面部４９ｃと、斜面部４９ｃに設けられている第１の開口部としての開口部５０から離隔し、かつ開口部５０を遮蔽する遮蔽部４９ｄとを備えている。
【００６６】
開口部５０は、ＬＥＤ４４の近傍に位置するようにＬＥＤ４４の直上の斜面部４９ｃに形成されており、開口部５０の主走査方向長さは、主走査方向に配列されたＬＥＤ４４の一端から他端までの長さよりも長く形成されている。
【００６７】
また、垂直部４９ｂには第２の開口部としての開口部５１が形成されており、この開口部５１の主走査方向長さは、主走査方向に配列されたＬＥＤ４４の一端から他端までの長さよりも長く形成されている。
【００６８】
また、開口部５１は、ＬＥＤ４４から離隔する位置に形成されている。すなわち、ＬＥＤ４４と開口部５０の距離は、ＬＥＤ４４と開口部５１の距離よりも短くなっており、開口部５０は、ＬＥＤ４４の近傍に設けられている。
【００６９】
このため、開口部５０および開口部５１の一方からカバー４９およびブラケット４８の間の空間に空気を流入させ、この空気をＬＥＤ４４に衝突させて開口部５０および開口部５１の他方から流出させることができ、ＬＥＤ４４を冷却することができる。
【００７０】
一方、遮蔽部４９ｄは、斜面部４９ｃに一体に形成されており、この遮蔽部４９ｄは、開口部５０から離隔し、かつ開口部５０を覆うように設けられている。
【００７１】
遮蔽部４９ｄの主走査方向長さは、開口部５０の主走査方向長さよりも長くなっている。また、遮蔽部４９ｄの副走査方向長さは、ＬＥＤ４４が発光した場合に、開口部５０を通りコンタクトガラス１５に向けて照射される光を、コンタクトガラス１５からは見ることができないよう十分な長さとなっている。
【００７２】
すなわち、本実施の形態の光照射装置３０は、コンタクトガラス１５から見て開口部５０が遮蔽部４９ｄによって遮蔽されるようにベース５２に取付けられている。
【００７３】
したがって、本実施の形態の遮蔽部４９ｄは、開口部５０および開口部５１間の空気の流れを阻害せず、かつＬＥＤ４４の光が開口部５０を通りコンタクトガラス１５に向けて照射されることがない。
【００７４】
また、カバー４９および遮蔽部４９ｄは、例えば、黒色のカーボンを含むポリエステルフィルムやＰＥＴ材質等の光密度が高く光を透過しにくい光遮蔽部材から構成されている。このため、カバー４９および遮蔽部４９ｄは、ＬＥＤ４４から照射されて導光板４６に入射されない光と、開口部５０を通りコンタクトガラス１５に向けて照射される光とを、確実に遮蔽することができるようになっている。
【００７５】
このような構成を有する複写機１０にあっては、第１キャリッジ３５および第２キャリッジ３６を副走査方向に走行させることにより、光照射装置３０から原稿６１に光を照射する。このとき、導光板４６から照射された光の一部は、リフレクタ５６によって原稿６１に反射される。この結果、照射領域６０で示す範囲で原稿６１に光が照射される。
【００７６】
原稿６１からの反射光は、第１ミラー５５ａ、第２ミラー５５ｂおよび第３ミラー５５ｃの順に折り返された後、レンズユニット３７に入射される。レンズユニット３７に入射した反射光は、レンズユニット３７の結像レンズによって、焦点面に設置された撮像素子４３に集光されることで、画像として取り込まれる。これにより、撮像素子４３は、ＬＥＤ４４および導光板４６に沿った原稿上のラインを主走査方向および副走査方向に走査する。
【００７７】
本実施の形態に係る光照射装置３０は、ＬＥＤ４４の近傍のカバー４９の斜面部４９ｃの部位に開口部５０を形成し、ＬＥＤ４４から離隔したカバー４９の垂直部４９ｂの部位に開口部５１を形成したので、開口部５０および開口部５１を通してブラケット４８およびカバー５１の間の空間を通気することができる。
【００７８】
このため、ＬＥＤ４４に空気を衝突させることができ、ＬＥＤ４４を冷却してＬＥＤ４４の発熱による光量の低下を防止することができる。このため、原稿の読取速度を上げるべくＬＥＤアレイをより明るくする、すなわち、ＬＥＤ４４の個数を増加させる、またはＬＥＤ４４に流す電流値を増加させる場合にも、光照射装置３０は、ＬＥＤ４４周辺の温度の上昇を抑えることができる。ここで、ＬＥＤアレイとは、複数のＬＥＤ４４が主走査方向に配列されたＬＥＤ基板４５を指す。
【００７９】
また、本実施の形態の光照射装置３０は、斜面部４９ｃに、開口部５０から離隔し、かつ開口部５０を遮蔽する遮蔽部４９ｄが形成され、光照射装置３０が、コンタクトガラス１５から見て開口部５０が遮蔽部４９ｄによって遮蔽されるようにベース５２に取付けられている。
【００８０】
このため、ＬＥＤ４４からの照射光が開口部５０を通してコンタクトガラス１５に向けて照射されてしまうのを防止することができ、画像の読取精度が悪化してしまうのを防止することができる。
【００８１】
なお、本実施の形態の開口部５０は、斜面部４９ｃに３つ形成されているが、これに限定されるものではない。例えば、斜面部４９ｃに開口部５０を１つ形成し、主走査方向に配列されたＬＥＤ４４の一端から他端までの長さよりも長くしてもよい。
【００８２】
また、本実施の形態の開口部５１は、垂直部４９ｂに３つ形成されているが、これに限定されるものではない。すなわち、垂直部４９ｂに開口部５１を１つ形成し、主走査方向に配列されたＬＥＤ４４の一端から他端までの長さよりも長くしてもよい。
【００８３】
また、本実施の形態において、開口部５０は第１の開口部から構成し、開口部５１は第２の開口部から構成しているが、これに限定されるものではない。すなわち、開口部５１を第１の開口部から構成し、開口部５０を第２の開口部から構成してもよい。
【００８４】
また、本実施の形態において、ブラケット４８は、ネジを用いてベース５２に取付ける場合について説明したが、これに限定されるものではなく、接着、溶接等の方法を用いて固定するようにしてもよい。
【００８５】
また、本実施の形態において、カバー４９を樹脂から構成しているが、これに限定されるものではなく、金属等を用いてもよい。この場合、複数のＬＥＤ４４の発した熱をより効率的に放熱することができ、複数のＬＥＤ間の温度差を縮めることができる。
【００８６】
（第２の実施の形態）
図６〜図１１は本発明に係る光照射装置、画像読取装置および画像形成装置の第２の実施の形態を示す図であり、本実施の形態と同一の構成には同一の符号を付して説明を省略する。
【００８７】
本実施の形態の第１キャリッジ６２は、光照射装置７０が２つ設けられ、リフレクタ５６が設けられていない点が本実施の形態と異なる構成となっている。また、光照射装置７０は、トップビュータイプのＬＥＤ７１を備えた構成となっている。
【００８８】
図６〜図９において、光照射装置７０は、発光素子としてのＬＥＤ７１と、基板としてのＬＥＤ基板７２と、導光部材としての導光板７３と、保持部材としてのブラケット７５と、被覆部材としてのカバー７６とを備えている。
【００８９】
図８に示すように、第１キャリッジ６２は、２つの光照射装置７０と、ベース７９と、ベース７９に垂下された一対の側板７９ｂとを備えている。なお、ベース７９は、ブラケット７５の一部を構成している。
【００９０】
また、一対の側板７９ｂの間には、第１ミラー５５ａが取付けられている。ここで、第１ミラー５５ａは、光照射装置７０が原稿６１に向けて光を照射し、原稿６１で反射された反射光８３に対し、４５度の角度を有するように取り付けられている。図８では、紙面方向（主走査方向）に離隔して一対設けられた側板のうち、一方の側板７９ｂのみを示している。
【００９１】
ベース７９には、ブラケット７５が複数のネジ８１によって取付けられている。ブラケット７５は、ベース７９に対する取付面を有する基端部７５ａと、ＬＥＤ基板７２およびカバー７６が取付けられる第１斜面部７５ｂと、導光板７３の位置決めをする第２斜面部７５ｃとを備えている。
【００９２】
ブラケット７５の第１斜面部７５ｂの下面には、ＬＥＤ基板７２が複数のネジ８０によって取付けられている。また、第１斜面部７５ｂの上面には、カバー７６が複数のネジ８２によって取付けられている。
【００９３】
ブラケット７５の第２斜面部７５ｃには、導光板７３が位置決めされている。この場合、導光板７３に一体に成形された３つの位置決めピン７４は、第２斜面部７５ｃの表裏を貫通する３つのピン穴に挿入されている。３つの位置決めピン７４は、導光板７３の下面の主走査方向の中央および両端に形成されている。
【００９４】
ブラケット７５の折返し部７５ｄは、第２斜面部７５ｃの一部を折り返した構造となっている。第２斜面部７５ｃの一部を折り返し折返し部７５ｄが設けられることにより、ベース７９と折返し部７５ｄとの間に第１の開口部としての開口部７７が構成される。
【００９５】
ブラケット７５の凸部７５ｅは、導光板７３と接触するように構成されている。図９に示すように、導光板７３は、凸部７５ｅとカバー７６の固定部７６ａとによって挟み付けられる。
【００９６】
ＬＥＤ基板７２には、トップビュータイプのＬＥＤ７１が主走査方向に沿って複数個取付けられている。ＬＥＤ基板７２の駆動によって、ＬＥＤ７１は、ＬＥＤ７１の照射面７１ａから導光板７３の入射面７３ａに向けて光を照射する。
【００９７】
そして、導光板７３は、導光板７３内の全反射を利用して、入射面７３ａより入射した光を、導光板７３の照射面７３ｂからコンタクトガラス１５に向けて均一に照射する。
【００９８】
ＬＥＤ７１の照射面７１ａの上下方向の幅は、導光板７３の入射面７３ａよりも小さい幅を有している。さらに、ＬＥＤ７１と導光板７３とは、副走査方向において所定の間隙を持って配置される。但し、導光板７３による全反射を利用するため、導光板７３の入射面および照射面以外の側面の近傍にＬＥＤ７１を配置するようにしている。
【００９９】
カバー７６は、ＬＥＤ基板７２とブラケット７５を覆い、導光板７３を押える構造となっている。カバー４９は、導光板７３と接触し導光板７３をブラケット７５の凸部７５ｅに押し付ける固定部７６ａと、ブラケット７５と接続する接続部７６ｂとを備えている。
【０１００】
また、ブラケット７５の第１斜面部７５ｂとカバー７６との間には第２の開口部としての開口部７８が設けられており、この開口部７８の主走査方向長さは、主走査方向に配列されたＬＥＤ７１の一端から他端までの長さよりも長くなっている。
【０１０１】
本実施の形態の光照射装置７０は、ＬＥＤ７１と開口部７７の距離は、ＬＥＤ７１と開口部７８の距離よりも短くなっており、開口部７７は、ＬＥＤ７１の近傍に設けられている。また、開口部７７の主走査方向長さは、主走査方向に配列されたＬＥＤ７１の一端から他端までの長さよりも長くなっている。
【０１０２】
このため、開口部７７および開口部７８の一方から流入した空気は、ＬＥＤ７１に確実に衝突して開口部７７および開口部７８の他方から流出する。したがって、開口部７７および開口部７８間を流れる空気により、ＬＥＤ７１を確実に冷却することができる。
【０１０３】
図１０に示すように、カバー７６の接続部７６ｂのネジ穴７６ｄは、円錐状に出っ張った箇所に設けられている。ネジ穴７６ｄの形状により、図９に示すように、開口部７８が接続部７６ｂにより塞がれてしまう箇所は、ネジ穴７６ｄが存在する箇所のみとなっている。したがって、開口部７７および開口部７８間の空気の流れは、接続部７６ｂによって妨げられるものではない。
【０１０４】
また、カバー７６の第２の遮蔽部材および遮蔽部材としての遮蔽部７６ｃは、カバー７６と一体に形成されており、遮蔽部７６ｃは、開口部７８から離隔し、かつ開口部７８を覆うように設けられている。
【０１０５】
本実施の形態の光照射装置７０は、コンタクトガラス１５から見て開口部７８が遮蔽部７６ｃによって遮蔽されるようにベース７９に取付けられている。
したがって、本実施の形態の遮蔽部７６ｃは、開口部７７および開口部７８間の空気の流れを阻害せず、かつＬＥＤ７１の光が開口部７８を通りコンタクトガラス１５に向けて照射されることがない。
【０１０６】
カバー７６および遮蔽部７６ｃは、例えば、黒色のカーボンを含むポリエステルフィルムやＰＥＴ材質等の光密度が高く光を透過しにくい光遮蔽部材から構成されている。
【０１０７】
このため、カバー７６および遮蔽部７６ｃは、ＬＥＤ７１から照射され導光板７３に入らない光および開口部７８を通りコンタクトガラス１５に向けて照射される光を、確実に遮蔽することができるようになっている。
【０１０８】
また、ベース７９の第１の遮蔽部材および遮蔽部材としての遮蔽部７９ａは、ブラケット７５の折返し部７５ｄから離隔し、かつ開口部７７を覆うように設けられている。遮蔽部７９ａの主走査方向長さは、開口部７７の主走査方向長さよりも長くなっている。
【０１０９】
すなわち、本実施の形態の光照射装置７０は、コンタクトガラス１５上の原稿６１から反射される反射光８３から見て開口部７７が遮蔽部７９ａによって遮蔽されるようにベース７９に取付けられている。
【０１１０】
このような構成を有する光照射装置７０は、図８に示すように、第１キャリッジ６２は、２台の光照射装置７０によって原稿６１に光を照射する。２台の光照射装置７０は、原稿６１の反射光８３を対称軸として、線対称の位置に配置されている。２台の光照射装置７０によって原稿６１に光を照射することで、例えば、切り貼り原稿を読取った場合に、２台の光照射装置７０は、原稿の凸凹によって発生する影をなくすることができる。
【０１１１】
また、本実施の形態に係る光照射装置７０は、ＬＥＤ７１の近傍のベース７９と折返し部７５ｄとの間に開口部７７を形成するとともに、ＬＥＤ７１から離隔したブラケット７５の第１斜面部７５ｂとカバー７６との間に開口部７８を形成した。
【０１１２】
このため、開口部７７と開口部７８との間に空気の流れを発生させてＬＥＤ７１に空気を衝突させることができ、ＬＥＤ７１の発熱による光量の低下を防止することができる。
【０１１３】
したがって、原稿の読取速度を上げるべくＬＥＤアレイをより明るくする、すなわち、ＬＥＤ７１の個数を増加させる、またはＬＥＤ７１に流す電流値を増加させる場合にも、ＬＥＤ７１周辺の温度の上昇を抑えることができる。
【０１１４】
また、本実施の形態の光照射装置７０は、副走査方向に離隔して２つ設けられているため、原稿６１に照射される光の光量を増加させることができ、画像の読取速度をより一層向上させることができる。
【０１１５】
なお、本実施の形態では、開口部７７は、ブラケット７５の第２斜面部７５ｃに１つの開口部を持つ構成で記載されているが、これに限定されるものではない。すなわち、主走査方向に配列されたＬＥＤ７１の一端から他端までの長さよりも長くなるように開口部７７を１つだけ形成してもよい。
【０１１６】
また、本実施の形態では、開口部７７は、ブラケット７５の第２斜面部７５ｃのＬＥＤ７１の近傍に設けられているが、これに限定されるものではない。例えば、開口部７７または開口部７８の一方から流入した空気が、ＬＥＤ７１に衝突する位置であれば、ブラケット７５とカバー７６のどの部位に形成されていてもよい。
【０１１７】
また、本実施の形態では、開口部７８は、ブラケット７５の第１斜面部７５ｂとカバー７６との間に１つの開口部を持つ構成で記載されているが、これに限定されるものではない。
【０１１８】
例えば、開口部７８は、少なくとも１つの開口部によって構成され、主走査方向に配列されたＬＥＤ７１の一端から他端までよりも長い主走査方向長さを有していればよい。
【０１１９】
また、本発明の第１の実施の形態に係る遮蔽部７９ａは、ベース７９と一体に形成されているが、これに限定されるものではない。例えば、図１１に示すように、ブラケット７５の折返し部７５ｄをさらにベース７９側に折り返すことによって遮蔽部７９ａを構成してもよい。
【０１２０】
また、本実施の形態において、開口部７７を第１の開口部から構成し、開口部７８を第２の開口部から構成しているが、これに限定されるものではない。すなわち、開口部７８を第１の開口部から構成し、開口部７７を第２の開口部から構成してもよい。
【０１２１】
また、本実施の形態では、ブラケット７５をネジを用いてベース７９に取付ける場合について説明したが、これに限らず、接着、溶接等の方法を用いて固定するようにしてもよい。
【０１２２】
また、本実施の形態では、カバー７６を樹脂から構成しているが、これに限らず、金属等を用いてもよい。この場合、複数のＬＥＤ７１の発した熱をより効率的に放熱することができ、複数のＬＥＤ間の温度差を縮めることができる。
【０１２３】
また、本発明は、複写機に限らず、ファクシミリ装置、複写機能とファクシミリ機能を備えた複合機等にも適用することができる。
【符号の説明】
【０１２４】
１０  複写機（画像読取装置、画像形成装置）
１３  画像形成部
１５  コンタクトガラス（透明部材）
３０、７０  光照射装置
３７  レンズユニット（読取手段）
４３  撮像素子（読取手段）
４４、７１  ＬＥＤ（発光素子）
４５、７２  ＬＥＤ基板（基板）
４６、７３  導光板（導光部材）
４８、７５  ブラケット（保持部材）
４９、７６  カバー（被覆部材）
４９ｄ  遮蔽部（遮蔽部材）
５０、７７  開口部（第１の開口部）
５１、７８  開口部（第２の開口部）
５５ａ  第１ミラー（読取手段）
５５ｂ  第２ミラー（読取手段）
５５ｃ  第３ミラー（読取手段）
６０  照射領域
６１  原稿（被照射体）
７６ｃ  遮蔽部（遮蔽部材、第２の遮蔽部）
７９ａ  遮蔽部（遮蔽部材、第１の遮蔽部）
【先行技術文献】
【特許文献】
【０１２５】
【特許文献１】特開２０１０−１３００５６号公報
【図１】
2014014002.tif 000003
【図２】
2014014002.tif 000004
【図３】
2014014002.tif 000005
【図４】
2014014002.tif 000006
【図５】
2014014002.tif 000007
【図６】
2014014002.tif 000008
【図７】
2014014002.tif 000009
【図８】
2014014002.tif 000010
【図９】
2014014002.tif 000011
【図１０】
2014014002.tif 000012
【図１１】
2014014002.tif 000013